(57)【要約】【課題】接点溶着を回避できる接点構造およびそれを用いたスイッチを提供する。【解決手段】  固定片１５，１６の固定接点１９，２０を銀合金で構成する一方、この固定接点１９，２０に接離する可動片１４の可動接点１８を導電性プラスチック材料で構成し、このように融点等の物性値の異なる異種材料で構成することにより、固定接点１９，２０と可動接点１８との接点溶着を回避し、信頼性および寿命の向上を図っている。【選択図】図１
2007242505.tif 000002
【特許請求の範囲】
【請求項１】
固定接点と該固定接点に接離する可動接点とを備える接点構造において、
前記固定接点または可動接点の一方の接点を、導電性プラスチック材料で構成するとともに、他方の接点を金属材料で構成したことを特徴とする接点構造。
【請求項２】
前記金属材料が、銀合金である請求項１に記載の接点構造。
【請求項３】
遊端部に可動接点を備えた可動片と、端子に連結されるとともに可動片の基端を揺動可能に支持する受け部材と、他の端子に連結されるとともに前記可動片の遊端部に対向する固定接点を備えた固定片と、前記可動片をスナップ作動させて前記可動接点を前記固定接点に接離させるバネ部材とを備え、
前記固定接点または可動接点の一方の接点を、導電性プラスチック材料で構成するとともに、他方の接点を金属材料で構成したことを特徴とするスイッチ。
【請求項４】
前記バネ部材が、バネ性を有する前記可動片と一体に形成されてなる請求項３に記載のスイッチ。
【請求項５】
前記導電性プラスチック材料で構成される前記一方の接点が、インサート成形によって、前記固定片または前記可動片に一体化されてなる請求項３に記載のスイッチ。
【発明の詳細な説明】
【技術分野】
【０００１】
本発明は、接点構造およびその接点構造を備えるスイッチに関する。
【背景技術】
【０００２】
スイッチ、例えば、マイクロスイッチは、アクチュエータとしての押しボタンの操作に応じて、可動接点が、一方の固定接点から他方の固定接点に素早く移動して接点の切り替えを行なうものである（例えば、特許文献１参照）。
【特許文献１】特開２０００−２１５７５１号公報
【発明の開示】
【発明が解決しようとする課題】
【０００３】
かかるマイクロスイッチの接点構造では、固定接点および可動接点のいずれも、銀合金などの同種の金属材料で構成されており、このため、可動接点が固定接点に接触開離する時、特に開離時に生じるアークなどによって接点溶着が生じ易く、接点寿命が短くなるといった難点がある。
【０００４】
本発明は、上述の点に鑑みて為されたものであって、接点溶着を回避できる接点構造およびそれを用いたスイッチを提供することを目的としている。
【課題を解決するための手段】
【０００５】
（１）本発明の接点構造は、固定接点と該固定接点に接離する可動接点とを備える接点構造において、前記固定接点または可動接点の一方の接点を、導電性プラスチック材料で構成するとともに、他方の接点を金属材料で構成している。
【０００６】
本発明によると、固定接点または該固定接点に接離する可動接点の一方の接点が、導電性プラスチック材料で構成されるとともに、他方の接点が、金属材料で構成される、すなわち、融点等の物性値が大きく異なる異種材料で構成されるので、接点の溶着が生じることがなく、信頼性および寿命が大幅に向上する。
【０００７】
（２）本発明の接点構造の一つの実施形態では、前記金属材料が、銀合金である。
【０００８】
この実施形態によると、接触抵抗および耐熱性が良好である。
【０００９】
（３）本発明のスイッチは、遊端部に可動接点を備えた可動片と、端子に連結されるとともに可動片の基端を揺動可能に支持する受け部材と、他の端子に連結されるとともに前記可動片の遊端部に対向する固定接点を備えた固定片と、前記可動片をスナップ作動させて前記可動接点を前記固定接点に接離させるバネ部材とを備え、前記固定接点または可動接点の一方の接点を、導電性プラスチック材料で構成するとともに、他方の接点を金属材料で構成している。
【００１０】
本発明によると、固定接点または該固定接点に接離する可動接点の一方の接点が、導電性プラスチック材料で構成されるとともに、他方の接点が、金属材料で構成される、すなわち、融点等の物性値が大きく異なる異種材料で構成されるので、接点の溶着が生じることがなく、スイッチの寿命が大幅に向上する。
【００１１】
（４）本発明の好ましい実施形態では、前記バネ部材が、バネ性を有する前記可動片と一体に形成されてなるものである。
【００１２】
この実施形態によると、部品点数および組み立て工数を削減することができる。
【００１３】
（５）本発明の他の実施形態では、前記導電性プラスチック材料で構成される前記一方の接点が、インサート成形によって、前記固定片または前記可動片に一体化されてなるものである。
【００１４】
この実施形態によると、強度および耐久性の良好な固定片または可動片を得ることができる。
【発明の効果】
【００１５】
本発明によれば、固定接点または該固定接点に接離する可動接点の一方の接点が、導電性プラスチック材料で構成されるとともに、他方の接点が、金属材料で構成されるので、接点の溶着が生じることがなく、信頼性および寿命が向上する。
【発明を実施するための最良の形態】
【００１６】
以下、図面によって、本発明の実施の形態について、詳細に説明する。
【００１７】
図１に、本発明に係るマイクロスイッチの一部を縦断した正面図が、また、図２にその分解斜視図がそれぞれ示されている。
【００１８】
このマイクロスイッチは、絶縁樹脂材からなる中空のスイッチケース１を備え、このスイッチケース１は、図２に示すように、インサート装着された３つの端子２，３，４を有するケース本体１ａと、このケース本体１ａにピン５によって連結されるカバー１ｂとからなる。
【００１９】
本体ケース１ａには、一対の取付け用孔１３が形成されている。
【００２０】
カバー１ｂには、支点ｐ回りに揺動可能に支持されたスイッチ操作用のレバー６と、該レバー６によって変位するアクチュエータ７と、バネ８とが装備されている。
【００２１】
スイッチケース１には、スナップ作動式のスッチング機構９が内装されている。各端子２，３，４の下方には、配線を接続するための端子ネジ１０，１１，１２が装備されている。
【００２２】
スイッチング機構９は、コモン端子となる端子２の内端部に基端部（図１では左端部）がカシメ付け連結された板バネ製の可動片１４、常閉端子となる端子３の内端部にカシメ付け連結された固定片１５、常開端子となる端子４の内端部にカシメ付け連結された固定片１６、で構成されており、可動片１４の遊端部側から基端側に向けて延出されたスナップ作動用の一対のバネ片１４ａが弾性湾曲されて、その先端が端子２に固定された受け部材１７の前端に係止されている。
【００２３】
可動片１４は、端子２との連結箇所を支点にして上下に湾曲揺動可能に片持ち支持されており、一対の固定片１５，１６は可動片１４の遊端部に上下から対向するよう配備されている。
【００２４】
可動片１４の遊端に備えられた上下の可動接点１８に対向する固定接点１９，２０が、各固定片１５，１６に設けられており、可動片１４が上下に揺動して可動接点１８が、固定接点１９あるいは固定接点２０に接触されることで、端子２と端子３の導通状態、あるいは、端子２と端子４の導通状態が得られるようになっている。アクチュエータ７の内端が、可動片１４に基端側に上面から対向して操作端となる。
【００２５】
スイッチング機構９は以上のように構成されており、通常時には、図１に示すように、可動片１４の可動接点１８が固定片１５の固定接点１９に押圧接触されて端子２と端子３が導通された状態で安定している。
【００２６】
図２に示す状態から、レバー６が下方に揺動操作されてアクチュエータ７が変位すると、可動片１４が復帰し、可動片１４の可動接点１８が、固定片１６の固定接点２０接触して導通し、接点切換えが行われる。
【００２７】
レバー６の揺動操作が解除されると、可動片１４は、図１に示す元の姿勢に戻って接点切換えが行われる。
【００２８】
この実施形態の接点構造では、可動片１４の可動接点１８は、導電性プラスチック材料で構成されるとともに、固定片１５の固定接点１９および固定片１６の固定接点２０は、銀合金で構成される。
【００２９】
導電性プラスチック材料としては、例えば、ポリアセチレン等の導電性高分子、プラスチックに導電性フィラーとして金属粉末等を混合させたもの、あるいはイオン伝導性高分子等がある。
【００３０】
かかる導電性プラスチック材料は、腐らない、錆びないという利点に加えて、石油を原料としているので安く、更に、軽くて加工がし易いといった利点も有している。
【００３１】
可動接点１８は、例えば、インサート成形によって可動片１４に一体化される。
【００３２】
なお、固定接点１９，２０は、銀合金に限らず、銅合金や金合金といったその他の金属材料で構成してもよい。
【００３３】
このように、互い接離する可動接点１８と固定接点１９，２０とを、融点等の物性値が大きく異なる異種材料で構成するので、接点の溶着が生じることがなく、信頼性が向上するとともに、寿命が大幅に向上する。
【００３４】
したがって、  特に、接点の溶着による切断不良が許されない厳しい用途などに好適である。
【００３５】
上述の実施形態では、可動接点１８を導電性プラスチック材料で構成し、固定接点１９，２０を金属材料で構成したけれども、他の実施形態として、可動接点１８を金属材料で構成し、固定接点１９，２０を導電性プラスチック材料で構成してもよい。
上述の実施形態では、バネ片１４ａは、可動片１４と一体であったけれども、他の実施形態として、別部材で構成してもよい。
【産業上の利用可能性】
【００３６】
本発明は、マイクロスイッチやリミットスイッチなどに有用である。
【図面の簡単な説明】
【００３７】
【図１】本発明の一つの実施の形態に係るスイッチの一部縦断正面図である。
【図２】図１の分解斜視図である。
【符号の説明】
【００３８】
１                      スイッチケース
１４                    可動片
１５，１６              固定片
１８                    可動接点
１９，２０              固定接点
【図１】
2007242505.tif 000003
【図２】
2007242505.tif 000004